(57)【要約】【課題】クロスレイヤ適応メカニズムにおいて伝送電力を最適化するデータパケット伝送方法を提供する。【解決手段】本発明は、基地局（ＢＳ）と通信する少なくとも１つの端末（ＵＥ）を有する通信システムにおけるデータパケット伝送方法であって、複数回の送信後の残留パケットエラーレートＰＥＲｒｅｓを得るようＨＡＲＱスキームに基づき端末から基地局へ所与の電力によりデータパケットの少なくとも１度の送信を行うデータパケット伝送方法に関する。方法は、複数回の送信の数Ｔｒｎ、残留パケットエラーレートＰＥＲｒｅｓに達するための各送信ｉ（ｉ＝１，・・・，Ｔｒｎ）の目標パケットエラーレートＰＥＲｔｇ（ｉ）、データパケット伝送電力を最小限とするための各目標パケットエラーレートＰＥＲｔｇ（ｉ）に対応する変調及び符号化スキームｍの共同選択のステップを有する。【選択図】図２
2013027043.tif 000002
【特許請求の範囲】
【請求項１】
基地局と通信する少なくとも１つの端末を有する通信システムにおけるデータパケット伝送方法であって、複数回の送信後の残留パケットエラーレートＰＥＲｒｅｓを得るようＨＡＲＱスキームに基づき前記端末から前記基地局へ所与の電力によりデータパケットの少なくとも１度の送信を行うデータパケット伝送方法において、
前記複数回の送信の数Ｔｒｎ、
前記残留パケットエラーレートＰＥＲｒｅｓに達するための各送信ｉ（ｉ＝１，・・・，Ｔｒｎ）の目標パケットエラーレートＰＥＲｔｇ（ｉ）、及び
データパケット伝送電力を最小限とするための各目標パケットエラーレートＰＥＲｔｇ（ｉ）に対応する変調及び符号化スキームｍ
の共同選択のステップを有する、データパケット伝送方法。
【請求項２】
前記データパケットは伝送リソースにおいて送信され、
前記各目標パケットエラーレートＰＥＲｔｇ（ｉ）に対応する前記変調及び符号化スキームｍの選択は、信号対干渉及び雑音比ＳＩＮＲｍ（ｉ）≦Ｐｍ（ｉ）・γであるようにされ、Ｐｍ（ｉ）は、送信ｉに必要とされる伝送電力であり、γは、伝搬チャネル品質のインジケータである、
請求項１に記載のデータパケット伝送方法。
【請求項３】
２回の連続する送信ｉ、ｉ＋１からの２つのパケットは結合され、
前記各目標パケットエラーレートＰＥＲｔｇ（ｉ）に対応する前記変調及び符号化スキームｍの選択は、送信信号対干渉及び雑音比ＳＩＮＲｍ（ｉ）と、送信ｉに必要とされる電力Ｐｍ（ｉ）とが、次の式
【数１】
2013027043.tif 000011
によって連関するようにされ、γは、伝搬チャネル品質のインジケータである、
請求項１に記載のデータパケット伝送方法。
【請求項４】
前記複数回の送信の数Ｔｒｎが２よりも多い場合に、
各送信ｉ＞１の前に前記伝送チャネル品質のインジケータを決定するステップと、
前記複数回の送信の数Ｔｒｎと、前記残留パケットエラーレートＰＥＲｒｅｓに達するための各送信ｉ（ｉ＝２，・・・，Ｔｒｎ）の目標パケットエラーレートＰＥＲｔｇ（ｉ）と、各目標パケットエラーレートＰＥＲｔｇ（ｉ）に対応する変調及び符号化スキームｍとを更新するステップと
を更に有する、請求項２又は３に記載のデータパケット伝送方法。
【請求項５】
送信ｉ＝１の目標パケットエラーレートは、送信ｉ＞１の目標パケットエラーレートよりも大きい、
請求項１乃至３のうちいずれか一項に記載のデータパケット伝送方法。
【請求項６】
前記伝搬チャネル品質のインジケータは、伝送リソースにおけるパイロットシンボルの伝送に対応する標準化された信号対干渉及び雑音比である、
請求項２乃至４のうちいずれか一項に記載のデータパケット伝送方法。
【請求項７】
前記目標パケットエラーレートＰＥＲｔｇ＝［ＰＥＲｔｇ（１），・・・，ＰＥＲｔｇ（ｉ），・・・，ＰＥＲｔｇ（Ｔｒｎ）］は、ＰＥＲｔｇ（ｉ）＞ＰＥＲｔｇ（ｉ＋１）＞・・・＞ＰＥＲｔｇ（Ｔｒｎ）との制約を確認する、
請求項１乃至５のうちいずれか一項に記載のデータパケット伝送方法。
【請求項８】
各送信ｉにおける前記目標パケットエラーレートＰＥＲｔｇ（ｉ）は、次の式
【数２】
2013027043.tif 000012
を満たす、請求項１乃至６のうちいずれか一項に記載のデータパケット伝送方法。
【請求項９】
前記複数回の送信の数Ｔｒｎ及び各送信ｉにおける前記目標パケットエラーレートＰＥＲｔｇ（ｉ）は、各目標パケットエラーレートＰＥＲｔｇ（ｉ）に対応する変調及び符号化スキームｍに基づき次の式
【数３】
2013027043.tif 000013
によって定義されるデータパケット伝送電力Ｐａｖｇを最小限とする、
請求項１乃至８のうちいずれか一項に記載のデータパケット伝送方法。
【請求項１０】
前記残留パケットエラーレートＰＥＲｒｅｓは１０−４よりも小さい、
請求項１乃至９のうちいずれか一項に記載のデータパケット伝送方法。
【請求項１１】
前記通信システムは周波数分割多重アクセスＯＦＤＭシステムであり、各リソースは周波数インターバルである、
請求項１乃至１０のうちいずれか一項に記載のデータパケット伝送方法。
【発明の詳細な説明】
【技術分野】
【０００１】
本発明は、無線通信システムの分野、より具体的には、リンク適応通信システムの分野に関する。
【背景技術】
【０００２】
無線通信システムにおいて、端末によって受信される信号の品質は、多くの要因に依存する。スループットレート及びシステム全体の容量を最小限とするために、送信される信号の特性は、伝送チャネル品質の変動を考慮するよう修正される。この修正メカニズムはリンク適応（link  adaption）として知られている。
【０００３】
無線通信システムにおいてリンクを適応させるための従来の手段は、適応変調及び符号化（adaptive  modulation  and  coding）（ＡＭＣ）を用いるもの、言い換えると、チャネル品質に基づき変調及び符号化スキーム（modulation  and  coding  scheme）（ＭＣＳ）を選択するものである。この手段は、特に、３ＧＰＰ  ＨＳｘＰＡ及びＥＴＳＩ  ＨＩＰＥＲＬＡＮ／２システムにおいて使用される。
【０００４】
通常、伝送チャネルにおける低い信号対雑音比のために、低い効率（すなわち、高い冗長度）及び／又は低い変調度（すなわち、小さいクラスタ）による符号化が採用される。反対に、伝送チャネルが高い信号対雑音比を有する場合は、スループットレートは、高い効率及び高い変調度による符号化を選択することによって最大限にされる。信号対雑音比（signal-to-noise  ratio）（ＳＮＲ）又は信号対干渉及び雑音比（signal-to-interference-plus-noise）（ＳＩＮＲ）は、一般的に、チャネル伝搬定数の推定とパイロットシンボルとを用いて受信器によって推定される。例えば、A.J.Goldsmith及びS.Chua、“Adaptive  coded  modulation  for  fading  channels”、IEEE  Trans.  On  Communications、１９９８年（非特許文献１）を参照されたい。
【０００５】
伝送チャネルにおけるチャネルフェーディングを改善するために、ＨＡＲＱ（Hybrid  Automatic  Repeat  reQuest）メカニズムを使用することが知られている。受信器が誤ったパケットを受信した場合に、否定応答（negative  acknowledgement）（ＮＡＣＫ）が送信器へ返され、パケットは再送信される。特に、パケットがそのままで再送信されるのか、あるいは、付加的なパリティのみが送信されるのか（増加的冗長性（incremental  redundancy））に基づき、様々なタイプのＨＡＲＱプロトコルが存在する。
【０００６】
物理レイヤにおけるＡＭＣ適応スキームは、データリンクレイヤにおけるＨＡＲＱメカニズムと組み合わされてよい。これはクロスレイヤ設計と呼ばれる。かかる場合において、第１の適応は、所与の目標パケットエラーレートに到達するよう受信器によって測定されたＳＩＮＲに基づきＭＣＳスキームを選択することによって、物理レイヤにおいて行われる。第２のより精細な適応は、再送信要求を送信することによって、データリンクレイヤにおいて行われる。クロスレイヤ設計は、ＡＭＣ適応メカニズムにおけるＭＣＳスキームの数を減らすことを可能にする。クロスレイヤ適応の例は、E.Calvanese  Strinati等、“Performance  evaluation  of  some  hybrid  ARQ  schemes  in  IEEE  802.11a  networks”、Proceedings  of  the  IEEE  Vehicular  Technology  25  Conference、Spring、Vol.4、２７３５〜２７３９頁、２００３年４月（非特許文献２）において見つけられ得る。このようなメカニズムに伴う１つの問題は、伝送電力に関して、このパラメータの適応が実行されないために、犠牲が大きいことである。
【先行技術文献】
【非特許文献】
【０００７】
【非特許文献１】A.J.Goldsmith及びS.Chua、“Adaptive  coded  modulation  for  fading  channels”、IEEE  Trans.  On  Communications、１９９８年
【非特許文献２】E.Calvanese  Strinati等、“Performance  evaluation  of  some  hybrid  ARQ  schemes  in  IEEE  802.11a  networks”、Proceedings  of  the  IEEE  Vehicular  Technology  25  Conference、Spring、Vol.4、２７３５〜２７３９頁、２００３年４月
【発明の概要】
【発明が解決しようとする課題】
【０００８】
本発明は、クロスレイヤ適応メカニズムにおいて伝送電力を最適化することを提案することによって、上記の欠点を改善することを可能にする。
【課題を解決するための手段】
【０００９】
第１の態様に従って、本発明は、基地局（ＢＳ）と通信する少なくとも１つの端末を有する通信システムにおけるデータパケット伝送方法であって、複数回の送信後の残留パケットエラーレートＰＥＲｒｅｓを得るようＨＡＲＱスキームに基づき前記端末から前記基地局へ所与の電力によりデータパケットの少なくとも１度の送信を行うデータパケット伝送方法に関する。
【００１０】
本発明に従うデータパケット伝送方法は、
前記複数回の送信の数Ｔｒｎ、
前記残留パケットエラーレートＰＥＲｒｅｓに達するための各送信ｉ（ｉ＝１，・・・，Ｔｒｎ）の目標パケットエラーレートＰＥＲｔｇ（ｉ）、及び
データパケット伝送電力を最小限とするための各目標パケットエラーレートＰＥＲｔｇ（ｉ）に対応する変調及び符号化スキームｍ
の共同選択のステップを有する、ことを特徴とする。
【００１１】
更に、本発明に従うデータパケット伝送方法は、以下の特徴の１又はそれ以上を有してよい。
【００１２】
・前記データパケットは伝送リソースにおいて送信され、前記各目標パケットエラーレートＰＥＲｔｇ（ｉ）に対応する前記変調及び符号化スキームｍの選択は、信号対干渉及び雑音比ＳＩＮＲｍ（ｉ）≦Ｐｍ（ｉ）・γであるようにされ、Ｐｍ（ｉ）は、送信ｉに必要とされる伝送電力であり、γは、伝搬チャネル品質のインジケータである。
【００１３】
・２回の連続する送信ｉ、ｉ＋１からの２つのパケットは結合され、前記各目標パケットエラーレートＰＥＲｔｇ（ｉ）に対応する前記変調及び符号化スキームｍの選択は、送信信号対干渉及び雑音比ＳＩＮＲｍ（ｉ）と、送信ｉに必要とされる電力Ｐｍ（ｉ）とが、次の式
【数４】
2013027043.tif 000003
によって連関するようにされ、γは、伝搬チャネル品質のインジケータである。
【００１４】
・前記複数回の送信の数Ｔｒｎは２よりも多く、当該データパケット伝送方法は、
各送信ｉ＞１の前に前記伝送チャネル品質のインジケータを決定するステップと、
前記複数回の送信の数Ｔｒｎと、前記残留パケットエラーレートＰＥＲｒｅｓに達するための各送信ｉ（ｉ＝２，・・・，Ｔｒｎ）の目標パケットエラーレートＰＥＲｔｇ（ｉ）と、各目標パケットエラーレートＰＥＲｔｇ（ｉ）に対応する変調及び符号化スキームｍとを更新するステップと
を更に有する。
【００１５】
・送信ｉ＝１の目標パケットエラーレートは、送信ｉ＞１の目標パケットエラーレートよりも大きい。
【００１６】
・前記伝搬チャネル品質のインジケータは、伝送リソースにおけるパイロットシンボルの伝送に対応する標準化された信号対干渉及び雑音比である。
【００１７】
・前記目標パケットエラーレートＰＥＲｔｇ＝［ＰＥＲｔｇ（１），・・・，ＰＥＲｔｇ（ｉ），・・・，ＰＥＲｔｇ（Ｔｒｎ）］は、ＰＥＲｔｇ（ｉ）＞ＰＥＲｔｇ（ｉ＋１）＞・・・＞ＰＥＲｔｇ（Ｔｒｎ）との制約を確認する。
【００１８】
・各送信ｉにおける前記目標パケットエラーレートＰＥＲｔｇ（ｉ）は、次の式
【数５】
2013027043.tif 000004
を満たす。
【００１９】
・前記複数回の送信の数Ｔｒｎ及び各送信ｉにおける前記目標パケットエラーレートＰＥＲｔｇ（ｉ）は、各目標パケットエラーレートＰＥＲｔｇ（ｉ）に対応する変調及び符号化スキームｍに基づき次の式
【数６】
2013027043.tif 000005
によって定義されるデータパケット伝送電力Ｐａｖｇを最小限とする。
【００２０】
・前記残留パケットエラーレートＰＥＲｒｅｓは１０−４よりも小さい。
【００２１】
・前記通信システムは周波数分割多重アクセスＯＦＤＭシステムであり、各リソースは周波数インターバルである。
【発明の効果】
【００２２】
本発明の実施形態によれば、クロスレイヤ適応メカニズムにおいて伝送電力を最適化することによって、従来技術の問題が解消され得る。
【図面の簡単な説明】
【００２３】
【図１】本発明に従う通信システムを図式的に表す。
【図２】本発明に従うデータパケット伝送方法の実施形態を図式的に表す。
【図３】信号対干渉及び雑音比の関数としてパケットエラーレート曲線を表す。
【図４】様々な変調スキームのパラメータを表す。
【図５ａ】本発明に従うデータパケット伝送方法の様々な実施形態の１つを図式的に表す。
【図５ｂ】本発明に従うデータパケット伝送方法の様々な実施形態の１つを図式的に表す。
【図５ｃ】本発明に従うデータパケット伝送方法の様々な実施形態の１つを図式的に表す。
【図５ｄ】本発明に従うデータパケット伝送方法の様々な実施形態の１つを図式的に表す。
【発明を実施するための形態】
【００２４】
本発明の更なる特徴及び利点は、単なる例示であって限定ではなく且つ添付の図面を参照して読まれるべき以下の説明から明らかになるであろう。
【００２５】
ここでは、基地局ＢＳと通信する少なくとも１つの端末ＵＥを有するリンク適応無線通信システムについて記載する。図１は、そのようなシステムを図式的に表す。
【００２６】
夫々の端末ＵＥは、伝送リソースにおいてデータパケットを送信するための所与の伝送電力を有する。
【００２７】
通信システムは、例えば、ＯＦＤＭ（直交周波数分割多重化（Orthogonal  Frequency  Division  Multiplexing））システムである。夫々の端末ＵＥは、１又は複数の周波数インターバルを割り当てられ、夫々のインターバルは、データパケットを送信する複数のＯＦＤＭシンボル時間のための一組の周波数チャンクから成る。
【００２８】
この場合において、伝送リソースは周波数インターバルである。
【００２９】
端末ＵＥ及び基地局ＢＳとの間の伝送チャネルパラメータは、既知であると仮定される。この情報は、特に、夫々の伝送リソースのためのチャネル定数から成り、多重経路損失を考慮する。
【００３０】
かかるパラメータは、当業者に知られている方法により推定されると考えられ、これ以上詳細には記載されない。
【００３１】
また、伝送リソースは基地局ＢＳで割り当てられ、夫々のユーザ、すなわち、夫々の端末ＵＥへ通知されるとする。この割り当てが実行されると、夫々の端末ＵＥは、伝送リソースにおいてデータパケットを送信するために必要とされる電力を決定する。
【００３２】
伝送リソースにおけるデータパケットの送信は、ＨＡＲＱ伝送スキームに従って実行される。
【００３３】
そのようなスキームに従って、パケット送信ｉ＝１は、送信／再送信Ｔｒｎに続いてパケットが残留パケットエラーレートＰＥＲｒｅｓ以下のパケットエラーレートで送信されるように、同じデータパケットの１又は複数の送信ｉ＝２，・・・，Ｔｒｎが後に続く。
【００３４】
残留パケットエラーレートＰＥＲｒｅｓを下回るように、夫々のデータパケット送信／再送信ｉのパラメータは、夫々の送信／再送信ｉについて目標パケットエラーレートＰＥＲｔｇ（ｉ）に基づき定義される。パケットエラーレートＰＥＲｔｇ（ｉ）の選択は、複数の送信パラメータを決定する。
【００３５】
夫々の送信／再送信が独立したランダム過程であると考えられる場合に、これは
【数７】
2013027043.tif 000006
を与える。
【００３６】
夫々の目標パケットエラーレートＰＥＲｔｇ（ｉ）について、データパケット送信は変調及び符号化スキームｍ（ｉ）に基づく。
【００３７】
変調及び符号化スキームｍ（ｉ）の選択は、このように、目標パケットエラーレートＰＥＲｔｇ（ｉ）と、伝送電力及び伝送チャネル品質に関連する信号対干渉及び雑音比とに依存する。
【００３８】
チャネル品質は、推定信号対雑音比γ＝（｜Ｈ｜２／σｎ２）・Ｐにより推定されてよい。ここで、Ｈ及びσ２は夫々、データパケットに使用される伝送リソースにおける伝送チャネル定数及び雑音電力に対応し、Ｐは送信信号電力である。
【００３９】
この推定パラメータに基づき、図３において表されるパケットエラーレート曲線により変調及び符号化スキームｍ（ｉ）を決定することが可能である。この図において、目標パケットエラーレートＰＥＲｔｇ（ｉ）に関し、複数の変調スキームｍが複数の最小ＳＩＮＲ値について可能である（同数の曲線に対応する）ことが分かる。かかる曲線は、目標パケットエラーレートに到達するよう最小ＳＩＮＲを推定するのに適している。
【００４０】
図４は、選択された変調スキームの次数に基づく複数のパラメータを表す。
【００４１】
夫々のデータパケット送信／再送信ｉのパラメータの選択は、求められるＱｏＳ（Quality  of  Service）に基づき定義される残留パケットエラーレートＰＥＲｒｅｓを得るようデータパケット送信に必要とされる電力を最小限とするのに適している。
【００４２】
残留パケットエラーレートは、例えば、ＷｉＦｉ（Wireless  Fidelity）８０２．１１ａ／ｂ／ｃ、ＬＴＥ（Long  Term  Evolution）、ＬＴＥ−Ａ（LTE-Advanced）及びＨＳＤＰＡ（High  Speed  Downlink  Packet  Access）システムに関し、ＰＥＲｒｅｓ＝１０−４に設定される。
【００４３】
それは、データパケット伝送電力を最小限とするように、次のパラメータの共同選択Ｓから成る：
・前記複数回の送信の数Ｔｒｎ；
・残留パケットエラーレートＰＥＲｒｅｓに達するための各送信ｉ（ｉ＝１，・・・，Ｔｒｎ）の目標パケットエラーレートＰＥＲｔｇ（ｉ）；及び
・データパケット伝送電力を最小限とするための各目標パケットエラーレートＰＥＲｔｇ（ｉ）に対応する変調及び符号化スキームｍ。
【００４４】
従来のＨＡＲＱ伝送スキームとは異なり、目標パケットエラーレートは、夫々の送信／再送信において変更されてよい。唯一要求されることは、データパケット送信／再送信の後に残留パケットエラーレートＰＥＲｒｅｓを達成することである。
【００４５】
それらのパラメータの共同選択Ｓは、複数の方法において行われてよい。図５ａ、５ｂ、５ｃ及び５ｄは、様々な実施形態に従うデータパケット伝送方法のステップを図式的に表す。
【００４６】
［第１の実施形態］
第１の実施形態に従って、目標パケットエラーレートは、送信ｉ＝１の目標パケットエラーレートが、高次変調スキームｍ（ｉ）を選択するよう有意であるように、定義される。次数が高いほど効率は大きくなる点に留意されたい。
【００４７】
例えば、夫々の送信における目標パケットエラーレートは、パケットエラーレートＰＥＲｒｅｓ＜１０−９に到達するよう、ＰＥＲｔｇ＝［０．４  ０．２  ０．０００１  ０．００００１］であってよい。この実施形態に従って、送信は、エラーの高いリスクを有して実行されるが、伝送電力を最小限にしながら広いスペクトル効率を有する。
【００４８】
１つの代替の実施形態は、信号対干渉及び雑音比ＳＩＮＲ（ｉ）＝Ｐｍ（ｉ）γが最小であるように、夫々の目標パケットエラーレートＰＥＲｔｇ（ｉ）に対応する変調及び符号化スキームｍ（ｉ）を選択することであり、ここで、Ｐｍ（ｉ）は、送信／再送信ｉ及びγに必要とされる伝送電力である。
【００４９】
このように、夫々の送信／再送信の目標パケットエラーレートに到達するよう、低い伝送電力を必要とする変調及び符号化スキームが選択される。
【００５０】
第１の実施形態の更なる代替の実施形態は、夫々の送信ｉ＞１について広いスペクトル効率を得且つ目標パケットエラーレートを同じに保つように、送信ｉ＝１について有意な目標パケットエラーレートを選択することである。
【００５１】
［第２の実施形態］
第２の実施形態に従って、送信パラメータは、次の関数：
【数８】
2013027043.tif 000007
を極小化にすることによって、選択されてよい。ここで、Ｐｍ（ｉ）は、目標パケットエラーレートＰＥＲｔｇ（ｉ）に対応する変調及び符号化スキームｍ（ｉ）に基づき送信ｉに必要とされる電力である。
【００５２】
この関数を極小化する問題は、次のように定義される：
Ｐｍ（ｉ）≦Ｐｍａｘならば、１≦ｉ≦Ｔｒｎであるように、
【数９】
2013027043.tif 000008
である。Ｐｍａｘは、送信／再送信ｉについて端末ＵＥが利用可能な電力である。
【００５３】
上記の関数は、次の一連のステップによって極小化されてよい。
【００５４】
ステップＳ１：目標パケットエラーレートベクトルＰＥＲｔｇ＝［ＰＥＲ１  ＰＥＲ２  ・・・  ＰＥＲη］が初期化される。ηはベクトルサイズである。
【００５５】
ステップＳ２：ステップＳ１で初期化された目標パケットエラーレートベクトルの夫々の成分について、変調及び符号化スキームｍ（ｉ）は、ＰＥＲｔｇ（ｉ）を所与として最小ＳＩＮＲｍ（ｉ）＝Ｐｍ（ｉ）γに到達するよう決定される。
【００５６】
ステップＳ３：最小電力に到達するためのＰＥＲｔｇ（ｉ）の組み合わせは、
【数１０】
2013027043.tif 000009
及びＰＥＲｔｇ（ｉ）＞ＰＥＲｔｇ（ｉ＋１）＞・・・＞ＰＥＲｔｇ（Ｔｒｎ）であるように、選択される。
【００５７】
ステップＳ３の実行は、全ての可能性をテストすることを意味する。ステップＳ２の後に最小化を簡単にするよう、次のサブステップが実施されてよい。
【００５８】
ステップＳ２１：このステップの間、ＳＩＮＲｔｇｍ（ｉ）≦γＰｍａｘとの制約を満たすＳＩＮＲ（ｉ）の値が選択される。このように、最小化の問題の複雑性は低減される。
【００５９】
目標パケットエラーレートのサイズは有意に低減される。
【００６０】
ステップＳ２２：目標パケットエラーレートベクトルが小さくされると、一連の置換が行列を得るよう実施され、行列における各列は目標パケットエラーレートに対応する。
【００６１】
ステップＳ２３：
【数１１】
2013027043.tif 000010
との制約を得るのに適さない列は削除される。
【００６２】
ステップＳ２４：最後に、ＰＥＲｔｇ（ｉ）＞ＰＥＲｔｇ（ｉ＋１）＞・・・＞ＰＥＲｔｇ（Ｔｒｎ）との制約を確認しない列は削除される。
【００６３】
次いで、Ｐａｖｇを最小化する目標パケットエラーレートベクトルを選択することから成るステップＳ３が実施される。
【００６４】
［第３の実施形態］
Ｔｒｎ＞２の複数回の送信に係る第３の実施形態に従って、処理は、夫々の送信Ｓ４の後に、伝送チャネル品質のインジケータを決定するステップＳ５、及び送信の数Ｔｒｎと、残留パケットエラーレートＰＥＲｒｅｓに達するための各送信ｉ（ｉ＝２，・・・，Ｔｒｎ）の目標パケットエラーレートＰＥＲｔｇ（ｉ）と、各目標パケットエラーレートＰＥＲｔｇ（ｉ）に対応する変調及び符号化スキームｍとを更新するステップを有してよい。言い換えると、夫々の送信の後、選択ステップＳが再実施される。
【００６５】
このように、様々なパラメータはデータパケット送信の間に動的に更新される。
【符号の説明】
【００６６】
ＢＳ  基地局
ＰＥＲｒｅｓ  残留パケットエラーレート
ＰＥＲｔｇ（ｉ）  目標パケットエラーレート
Ｐｍ（ｉ）  伝送電力
Ｔｒｎ  送信回数
ＵＥ  端末
ｍ（ｉ）  変調及び符号化スキーム
γ  伝搬チャネル品質のインジケータ
【図１】
2013027043.tif 000014
【図２】
2013027043.tif 000015
【図３】
2013027043.tif 000016
【図４】
2013027043.tif 000017
【図５ａ】
2013027043.tif 000018
【図５ｂ】
2013027043.tif 000019
【図５ｃ】
2013027043.tif 000020
【図５ｄ】
2013027043.tif 000021